(57)【要約】      （修正有）【課題】室内温度を下げることができる上、環境美化にも役立ち、使用上、実用性が高い水平方向及び垂直方向に延伸結合可能な立体植物栽培棚を提供する。【解決手段】水平方向及び垂直方向に延伸結合可能な立体植物栽培棚は、内部に収納空間１１が形成され、収納空間１１は、底部に導水孔１３が開設され、両側に互いに対応し接続された接続凸部１５及び接続凹部１６が配置され、上下端面に互いに対応する位置決め凹部１７が凹設された栽培棚１と、栽培棚１の収納空間１１内に配置され、複数の透水孔２１が開設され、栽培棚１の導水孔１３に対応するように導水孔２２が開設され、導水孔２２と栽培棚１の導水孔１３との間に導水空間が形成された隔板２とを備える。【選択図】図１
0003166711.tif 000002
【実用新案登録請求の範囲】
【請求項１】
内部に収納空間が形成され、前記収納空間は、底部に導水孔が開設され、両側に互いに対応し接続された接続凸部及び接続凹部が配置され、上下端面に互いに対応する位置決め凹部が凹設された栽培棚と、
前記栽培棚の前記収納空間内に配置され、複数の透水孔が開設され、前記栽培棚の前記導水孔に対応するように導水孔が開設され、前記導水孔と前記栽培棚の前記導水孔との間に導水空間が形成された隔板と、を備えることを特徴とする水平方向及び垂直方向に延伸結合可能な立体植物栽培棚。
【請求項２】
前記栽培棚の前記収納空間の底端部に凹溝部が凹設され、前記栽培棚の上縁部には、底端部の前記凹溝部に対応するように凹溝部が凹設され、前記栽培棚の上端は、上カバーで覆われ、前記上カバーには、前記栽培棚の上縁部の前記凹溝部に対応するように凹溝部が凹設されることを特徴とする請求項１に記載の水平方向及び垂直方向に延伸結合可能な立体植物栽培棚。
【請求項３】
前記隔板の前記導水孔に対応するように、前記導水孔に挿入され、位置決めされる導水管が配置され、前記導水管は、前記栽培棚の前記収納空間の底部に設けられた前記導水孔と導通し、前記栽培棚の上端は、上カバーで覆われ、前記上カバーには、前記隔板の前記導水孔に対応するように、前記導水管を貫設する穿孔が設けられることを特徴とする請求項１に記載の水平方向及び垂直方向に延伸結合可能な立体植物栽培棚。
【考案の詳細な説明】
【技術分野】
【０００１】
本考案は、水平方向及び垂直方向に延伸結合可能な立体植物栽培棚に関し、特に、建造物の側壁面又は縦向き若しくは傾斜するように壁面上に配置され、水平方向及び垂直方向に延伸させるように植物を配置し栽培する方式で断熱する機能を有し、室内温度を下げることができる上、環境美化にも役立ち、使用上、実用性が高い水平方向及び垂直方向に延伸結合可能な立体植物栽培棚に関する。
【背景技術】
【０００２】
従来、小さな空間で、植物栽培、芝生敷設などの作業を行いやすくするために、組立式の植生板が使用されている。組立式の植生板は、ベランダ、屋上などに配置され、植物栽培、芝生敷設などに利用して断熱を行い、室内温度を下げる効果が得られるが、実際には、ベランダ、屋上などの平らな場所でしか使用することができず、壁面上などで、縦向きに配置して使用することはできない。しかし、建造物は、屋上のみが直射日光を受けるだけでなく、壁面も同様に直射日光を受けて室内温度が高くなりやすい。このように、植生板は、建造物の側壁面に配置し植物を栽培することで、室内温度を下げることができないという点で、使用上、改善の余地があった。
【考案の概要】
【考案が解決しようとする課題】
【０００３】
本考案の目的は、建造物の側壁面又は縦向き若しくは傾斜するように壁面上に配置され、水平方向及び垂直方向に延伸させるように植物を配置し栽培する方式で断熱する機能を有し、室内温度を下げることができる上、環境美化にも役立ち、使用上、実用性が高い水平方向及び垂直方向に延伸結合可能な立体植物栽培棚を提供することにある。
【課題を解決するための手段】
【０００４】
上記課題を解決するために、本考案の第１の形態によれば、内部に収納空間が形成され、前記収納空間は、底部に導水孔が開設され、両側に互いに対応し接続された接続凸部及び接続凹部が配置され、上下端面に互いに対応する位置決め凹部が凹設された栽培棚と、前記栽培棚の前記収納空間内に配置され、複数の透水孔が開設され、前記栽培棚の前記導水孔に対応するように導水孔が開設され、前記導水孔と前記栽培棚の前記導水孔との間に導水空間が形成された隔板と、を備えることを特徴とする水平方向及び垂直方向に延伸結合可能な立体植物栽培棚が提供される。
【０００５】
また、前記栽培棚の前記収納空間の底端部に凹溝部が凹設され、前記栽培棚の上縁部には、底端部の前記凹溝部に対応するように凹溝部が凹設され、前記栽培棚の上端は、上カバーで覆われ、前記上カバーには、前記栽培棚の上縁部の前記凹溝部に対応するように凹溝部が凹設されることが好ましい。
【０００６】
また、前記隔板の前記導水孔に対応するように、前記導水孔に挿入され、位置決めされる導水管が配置され、前記導水管は、前記栽培棚の前記収納空間の底部に設けられた前記導水孔と導通し、前記栽培棚の上端は、上カバーで覆われ、前記上カバーには、前記隔板の前記導水孔に対応するように、前記導水管を貫設する穿孔が設けられることが好ましい。
【考案の効果】
【０００７】
本考案の水平方向及び垂直方向に延伸結合可能な立体植物栽培棚は、建造物の側壁面又は縦向き若しくは傾斜するように壁面上に配置され、水平方向及び垂直方向に延伸させるように植物を配置して栽培する方式で断熱効果を得て、室内温度を下げることができる上、環境美化にも役立ち、使用上、実用性が高い。
【図面の簡単な説明】
【０００８】
【図１】本考案の一実施形態による水平方向及び垂直方向に延伸結合可能な立体植物栽培棚を示す分解斜視図である。
【図２】本考案の一実施形態による水平方向及び垂直方向に延伸結合可能な立体植物栽培棚を示す斜視図である。
【図３】本考案の一実施形態による水平方向及び垂直方向に延伸結合可能な立体植物栽培棚の栽培棚を位置決めするときの状態を示す側面図である。
【図４】本考案の一実施形態による水平方向及び垂直方向に延伸結合可能な立体植物栽培棚の栽培棚を接続したときの状態を示す平面図である。
【図５】本考案の一実施形態による水平方向及び垂直方向に延伸結合可能な立体植物栽培棚の導水管を接続したときの状態を示す断面図である。
【図６】本考案の一実施形態による水平方向及び垂直方向に延伸結合可能な立体植物栽培棚の栽培棚を組み合わせて使用するときの状態を示す斜視図である。
【考案を実施するための形態】
【０００９】
図１及び図２を参照する。図１及び図２に示すように、本考案の一実施形態による水平方向及び垂直方向に延伸結合可能な立体植物栽培棚は、栽培棚１、隔板２、導水管３及び上カバー４を有する。
【００１０】
栽培棚１の内部には、収納空間１１が形成されている。収納空間１１は、底端面に凹溝部１２が凹設され、底部に導水孔１３が開設されている。栽培棚１の上縁部には、収納空間１１の底端面に凹設される凹溝部１２に対応するように凹溝部１４が凹設されている。栽培棚１は、両端に互いに対応し嵌合される接続凸部１５及び接続凹部１６を有し、上下端面に互いに対応する位置決め凹部１７が凹設されている。
【００１１】
隔板２は、栽培棚１の収納空間１１内に設けられている。隔板２上には、複数の透水孔２１と、栽培棚１の導水孔１３に対応するように導水孔２２と、が開設されている。
【００１２】
導水管３は、隔板２の導水孔２２内に挿入されて位置決めされ、栽培棚１の収納空間１１の底部に設けられた導水孔１３と導通する。
【００１３】
上カバー４は、栽培棚１の上端を覆い、栽培棚１の上端部の凹溝部１４に対応するように凹溝部４１が凹設され、隔板２の導水孔２２に対応するように導水管３を貫設する穿孔４２を有する。
【００１４】
図３を参照する。図３に示すように、実際に栽培棚１を使用する際、栽培棚１の上下端面に凹設される位置決め凹部１７のうちの１つにより位置決め棒５を挟持することにより、２つの位置決め棒５の間に栽培棚１が位置決めされる。図４を参照する。図４に示すように、複数の栽培棚１は、両側に対応するように配置される接続凸部１５及び接続凹部１６が互いに嵌合されて接続される。
【００１５】
図５を参照する。図５に示すように、導水管３の底端は、隔板２の導水孔２２内に挿入されて位置決めされる。導水孔２２と栽培棚１の導水孔１３との間には、導水空間２２１が形成されている。隔板２の頂端は、上方のもう１つの栽培棚１の導水溝１３の底端に接続されて互いに導通する。このように、各栽培棚１は、互いに組み合わされて一体成形され、各栽培棚１に設けられた導水管３が接続されて互いに導通する。
【００１６】
図６を参照する。図６に示すように、多数の栽培棚１は、建造物又は垂直若しくは斜面状をなす各種壁面に配列され、互いに接続され位置決めされる。各導水管３は、組み合わされて互いに導通する。各栽培棚１の収納空間１１内で植物を栽培すると、断熱効果を得ることができる。潅水する際、最も上端の栽培棚１の導水管３に注入された水は、導水管３を通って隔板２の導水孔２２と栽培棚１の導水孔１３との間に形成された導水空間２２１から栽培棚１内に入り、栽培棚１の収納空間１１内で栽培される植物に水分が補給される。このように、水が下層の栽培棚１まで流れるため、潅水を簡便に行うことができる。
【００１７】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１８】
１  栽培棚
２  隔板
３  導水管
４  上カバー
５  位置決め棒
１１  収納空間
１２  凹溝部
１３  導水孔
１４  凹溝部
１５  接続凸部
１６  接続凹部
１７  位置決め凹部
２１  透水孔
２２  導水孔
４１  凹溝部
４２  穿孔
２２１  導水空間
【図１】
0003166711.tif 000003
【図２】
0003166711.tif 000004
【図３】
0003166711.tif 000005
【図４】
0003166711.tif 000006
【図５】
0003166711.tif 000007
【図６】
0003166711.tif 000008